【手続補正書】
【提出日】平成19年3月12日(2007.3.12)
【手続補正１】
【補正対象書類名】明細書
【補正対象項目名】発明の名称
【補正方法】変更
【補正の内容】
【発明の名称】画像処理装置および画像処理方法およびプログラムを格納したコンピュータで読み取り可能な記憶媒体
【手続補正２】
【補正対象書類名】明細書
【補正対象項目名】特許請求の範囲
【補正方法】変更
【補正の内容】
【特許請求の範囲】
【請求項１】  外部のデータ処理装置から入力される第１の種類のページ記述言語および第２の種類のページ記述言語に基づく画像情報を受け取る受信手段と、
前記受信手段により受信された画像情報がカラー画像情報又は白黒画像情報のいずれであるかを識別する識別手段と、
前記識別手段により識別されたカラー画像情報を解析して画素毎のカラー画像データに展開する第１の展開手段と、
前記識別手段により識別された白黒画像情報を解析して画素毎の白黒画像データに展開する第２の展開手段と、
前記第１の展開手段または前記第２の展開手段により展開されたカラー画像データと白黒画像データとをページ順にマージするマージ手段と、
前記マージ手段によりマージされた出力画像データを記憶する記憶手段と、
前記記憶手段により記憶された出力画像データを外部の画像出力装置に出力する出力手段とを備え、
前記識別手段は、ページ単位でカラー画像情報か白黒画像情報かを識別し、
前記第１の展開手段はページ単位のカラー画像情報に基づいて画像の展開を実行し、
前記第２の展開手段はページ単位の白黒画像情報に基づいて画像の展開を実行することを特徴とする画像処理装置。
【請求項２】  外部のデータ処理装置から入力される第１の種類のページ記述言語または第２の種類のページ記述言語に基づく画像情報を受け取る受信手段と、
前記受信手段により受信された画像情報がカラー画像情報又は白黒画像情報のいずれであるかを識別する識別手段と、
第１の種類のページ記述言語に基づく画像情報を解析して画素毎のカラー画像データに展開する第１の展開手段と、
第２の種類のページ記述言語に基づく画像情報を解析して画素毎の白黒画像データに展開する第２の展開手段と、
前記識別手段により識別された第１の種類のページ記述言語または第２の種類のページ記述言語に基づく画像情報中の特定の画像情報を前記第１の展開手段または前記第２の展開手段が解析可能な画像情報に変換する変換手段と、
前記変換手段により変換された前記画像情報を前記第１または第２の展開手段により展開させる展開制御手段と、
前記第１の展開手段または前記第２の展開手段により展開されるカラー画像データと白黒画像データとをマージするマージ手段と、
前記マージ手段によりマージされた出力画像データを記憶する記憶手段と、
前記記憶手段により記憶された出力画像データを外部の画像出力装置に出力する出力手段とを備え、
前記識別手段は、ページ単位でカラー画像情報か白黒画像情報かを識別し、
第１の展開手段はページ単位のカラー画像情報に基づいて画像の展開を実行し、
第２の展開手段はページ単位の白黒画像情報に基づいて画像の展開を実行することを特徴とする画像処理装置。
【請求項３】  前記第１の展開手段と前記第２の展開手段は、前記外部のデータ処理装置で生成される、
（１）前記第１の種類のページ記述言語および前記第２の種類のページ記述言語に基づく画像情報、または、
（２）前記第１の種類のページ記述言語または第２の種類のページ記述言語に基づく画像情報の、
どちらであるかを解析してカラー画像データと白黒画像データのいずれかに展開することを特徴とする請求項１または２に記載の画像処理装置。
【請求項４】  前記マージ手段は所定のページ順になるようにページをマージすることを特徴とする請求項１または２に記載の画像処理装置。
【請求項５】  前記出力手段は前記画像出力装置にページ単位でカラー画像または白黒画像を出力することを特徴とする請求項１または２に記載の画像処理装置。
【請求項６】  ネットワークを介して前記外部のデータ処理装置と通信を行い、該ネットワークは、サーバを介して接続される第１のネットワーク接続形態または直接接続される第２のネットワーク接続形態を含むことを特徴とする請求項１または２に記載の画像処理装置。
【請求項７】  外部のデータ処理装置から入力される第１の種類のページ記述言語および第２の種類のページ記述言語に基づく画像情報を受け取る受信工程と、
前記受信工程により受信された画像情報がカラー画像情報又は白黒画像情報のいずれであるかを識別する識別工程と、
前記識別工程により識別されたカラー画像情報を解析して画素毎のカラー画像データに展開する第１の展開工程と、
前記識別手段により識別された白黒画像情報を解析して画素毎の白黒画像データに展開する第２の展開工程と、
前記第１の展開工程または前記第２の展開工程により展開されたカラー画像データと白黒画像データとをページ順にマージするマージ工程と、
前記マージ手段によりマージされた出力画像データを記憶する記憶手段と、
前記記憶手段により記憶された出力画像データを外部の画像出力装置に出力する出力工程とを備え、
前記識別工程は、ページ単位でカラー画像情報か白黒画像情報かを識別し、
前記第１の展開工程はページ単位のカラー画像情報に基づいて画像の展開を実行し、
前記第２の展開工程はページ単位の白黒画像情報に基づいて画像の展開を実行することを特徴とする画像処理方法。
【請求項８】  外部のデータ処理装置から入力される第１の種類のページ記述言語または第２の種類のページ記述言語に基づく画像情報を受け取る受信工程と、
前記受信手段により受信された画像情報がカラー画像情報又は白黒画像情報のいずれであるかを識別する識別工程と、
第１のページ記述言語に基づく画像情報を解析して画素毎のカラー画像データに展開する第１の展開工程と、
第２のページ記述言語に基づく画像情報を解析して画素毎の白黒画像データに展開する第２の展開工程と、
前記識別工程により識別された第１の種類のページ記述言語または第２の種類のページ記述言語に基づく画像情報中の特定の画像情報を前記第１の展開工程または前記第２の展開工程が解析可能な画像情報に変換する変換工程と、
前記変換工程により変換された前記画像情報を前記第１の展開工程または前記第２の展開工程により展開させる展開制御手段と、
前記第１の展開工程または前記第２の展開工程により展開されるカラー画像データと白黒画像データとをマージするマージ工程と、
前記マージ工程によりマージされた出力画像データを記憶する記憶手段と、
前記記憶手段により記憶された出力画像データを外部の画像出力装置に出力する出力工程とを備え、
前記識別工程は、ページ単位でカラー画像情報か白黒画像情報かを識別し、
第１の展開工程はページ単位のカラー画像情報に基づいて画像の展開を実行し、
第２の展開工程はページ単位の白黒画像情報に基づいて画像の展開を実行することを特徴とする画像処理方法。
【請求項９】  前記第１の展開工程と前記第２の展開工程は、前記データ処理装置で生成される、
（１）前記第１のページ記述言語および前記第２のページ記述言語に基づく画像情報、または、
（２）前記第１のページ記述言語または第２のページ記述言語に基づく画像情報の、
どちらであるかを解析してカラー画像データと白黒画像データのいずれかに展開することを特徴とする請求項７または８に記載の画像処理方法。
【請求項１０】  前記マージ工程は所定のページ順になるようにページをマージすることを特徴とする請求項７または８に記載の画像処理方法。
【請求項１１】  前記出力工程は前記画像出力装置にページ単位でカラー画像または白黒画像を出力することを特徴とする請求項７または８に記載の画像処理方法。
【請求項１２】  ネットワークを介して前記外部のデータ処理装置と通信を行い、該ネットワークは、サーバを介して接続される第１のネットワーク接続形態または直接接続される第２のネットワーク接続形態を含むことを特徴とする請求項７または８に記載の画像処理方法。
【請求項１３】  請求項７乃至１２のいずれかに記載の画像処理方法を実行させるためのプログラムを格納したコンピュータで読み取り可能な記憶媒体。
【手続補正３】
【補正対象書類名】明細書
【補正対象項目名】０００９
【補正方法】変更
【補正の内容】
【０００９】
【課題を解決するための手段】
上記の目的を達成するために本発明による画像処理装置は以下の構成を備える。即ち、
外部のデータ処理装置から入力される第１の種類のページ記述言語および第２の種類のページ記述言語に基づく画像情報を受け取る受信手段と、
前記受信手段により受信された画像情報がカラー画像情報又は白黒画像情報のいずれであるかを識別する識別手段と、
前記識別手段により識別されたカラー画像情報を解析して画素毎のカラー画像データに展開する第１の展開手段と、
前記識別手段により識別された白黒画像情報を解析して画素毎の白黒画像データに展開する第２の展開手段と、
前記第１の展開手段または前記第２の展開手段により展開されたカラー画像データと白黒画像データとをページ順にマージするマージ手段と、
前記マージ手段によりマージされた出力画像データを記憶する記憶手段と、
前記記憶手段により記憶された出力画像データを外部の画像出力装置に出力する出力手段とを備え、
前記識別手段は、ページ単位でカラー画像情報か白黒画像情報かを識別し、
前記第１の展開手段はページ単位のカラー画像情報に基づいて画像の展開を実行し、
前記第２の展開手段はページ単位の白黒画像情報に基づいて画像の展開を実行する。
【手続補正４】
【補正対象書類名】明細書
【補正対象項目名】００１０
【補正方法】変更
【補正の内容】
【００１０】
上記の目的を達成するために本発明による画像処理装置は以下の構成を備える。即ち、
外部のデータ処理装置から入力される第１の種類のページ記述言語または第２の種類のページ記述言語に基づく画像情報を受け取る受信手段と、
前記受信手段により受信された画像情報がカラー画像情報又は白黒画像情報のいずれであるかを識別する識別手段と、
第１の種類のページ記述言語に基づく画像情報を解析して画素毎のカラー画像データに展開する第１の展開手段と、
第２の種類のページ記述言語に基づく画像情報を解析して画素毎の白黒画像データに展開する第２の展開手段と、
前記識別手段により識別された第１の種類のページ記述言語または第２の種類のページ記述言語に基づく画像情報中の特定の画像情報を前記第１の展開手段または前記第２の展開手段が解析可能な画像情報に変換する変換手段と、
前記変換手段により変換された前記画像情報を前記第１または第２の展開手段により展開させる展開制御手段と、
前記第１の展開手段または前記第２の展開手段により展開されるカラー画像データと白黒画像データとをマージするマージ手段と、
前記マージ手段によりマージされた出力画像データを記憶する記憶手段と、
前記記憶手段により記憶された出力画像データを外部の画像出力装置に出力する出力手段とを備え、
前記識別手段は、ページ単位でカラー画像情報か白黒画像情報かを識別し、
第１の展開手段はページ単位のカラー画像情報に基づいて画像の展開を実行し、
第２の展開手段はページ単位の白黒画像情報に基づいて画像の展開を実行する。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】削除
【補正の内容】
【手続補正３８】
【補正対象書類名】明細書
【補正対象項目名】００４４
【補正方法】削除
【補正の内容】
【手続補正３９】
【補正対象書類名】明細書
【補正対象項目名】００４５
【補正方法】削除
【補正の内容】
【手続補正４０】
【補正対象書類名】明細書
【補正対象項目名】００４６
【補正方法】削除
【補正の内容】
【手続補正４１】
【補正対象書類名】明細書
【補正対象項目名】００４７
【補正方法】削除
【補正の内容】
【手続補正４２】
【補正対象書類名】明細書
【補正対象項目名】００４８
【補正方法】削除
【補正の内容】
【手続補正４３】
【補正対象書類名】明細書
【補正対象項目名】００４９
【補正方法】削除
【補正の内容】
【手続補正４４】
【補正対象書類名】明細書
【補正対象項目名】００５０
【補正方法】削除
【補正の内容】
【手続補正４５】
【補正対象書類名】明細書
【補正対象項目名】００５１
【補正方法】削除
【補正の内容】
【手続補正４６】
【補正対象書類名】明細書
【補正対象項目名】００５２
【補正方法】削除
【補正の内容】
【手続補正４７】
【補正対象書類名】明細書
【補正対象項目名】００５３
【補正方法】削除
【補正の内容】
【手続補正４８】
【補正対象書類名】明細書
【補正対象項目名】００５４
【補正方法】削除
【補正の内容】
【手続補正４９】
【補正対象書類名】明細書
【補正対象項目名】００５５
【補正方法】削除
【補正の内容】
【手続補正５０】
【補正対象書類名】明細書
【補正対象項目名】００５６
【補正方法】削除
【補正の内容】
【手続補正５１】
【補正対象書類名】明細書
【補正対象項目名】００５７
【補正方法】削除
【補正の内容】
【手続補正５２】
【補正対象書類名】明細書
【補正対象項目名】００５８
【補正方法】削除
【補正の内容】
【手続補正５３】
【補正対象書類名】明細書
【補正対象項目名】００５９
【補正方法】削除
【補正の内容】
【手続補正５４】
【補正対象書類名】明細書
【補正対象項目名】００６０
【補正方法】削除
【補正の内容】
【手続補正５５】
【補正対象書類名】明細書
【補正対象項目名】００６１
【補正方法】削除
【補正の内容】
【手続補正５６】
【補正対象書類名】明細書
【補正対象項目名】００６２
【補正方法】削除
【補正の内容】
【手続補正５７】
【補正対象書類名】明細書
【補正対象項目名】００６３
【補正方法】削除
【補正の内容】
【手続補正５８】
【補正対象書類名】明細書
【補正対象項目名】００６４
【補正方法】削除
【補正の内容】
【手続補正５９】
【補正対象書類名】明細書
【補正対象項目名】００６５
【補正方法】削除
【補正の内容】
【手続補正６０】
【補正対象書類名】明細書
【補正対象項目名】００６６
【補正方法】削除
【補正の内容】
【手続補正６１】
【補正対象書類名】明細書
【補正対象項目名】００６７
【補正方法】削除
【補正の内容】
【手続補正６２】
【補正対象書類名】明細書
【補正対象項目名】００６８
【補正方法】削除
【補正の内容】
【手続補正６３】
【補正対象書類名】明細書
【補正対象項目名】００６９
【補正方法】削除
【補正の内容】
【手続補正６４】
【補正対象書類名】明細書
【補正対象項目名】００７０
【補正方法】削除
【補正の内容】
【手続補正６５】
【補正対象書類名】明細書
【補正対象項目名】００７１
【補正方法】削除
【補正の内容】
【手続補正６６】
【補正対象書類名】明細書
【補正対象項目名】００７２
【補正方法】削除
【補正の内容】
【手続補正６７】
【補正対象書類名】明細書
【補正対象項目名】００７３
【補正方法】削除
【補正の内容】
【手続補正６８】
【補正対象書類名】明細書
【補正対象項目名】００７４
【補正方法】削除
【補正の内容】
【手続補正６９】
【補正対象書類名】明細書
【補正対象項目名】００７５
【補正方法】削除
【補正の内容】
【手続補正７０】
【補正対象書類名】明細書
【補正対象項目名】００７６
【補正方法】削除
【補正の内容】
【手続補正７１】
【補正対象書類名】明細書
【補正対象項目名】００７７
【補正方法】削除
【補正の内容】
【手続補正７２】
【補正対象書類名】明細書
【補正対象項目名】００７８
【補正方法】削除
【補正の内容】
【手続補正７３】
【補正対象書類名】明細書
【補正対象項目名】００７９
【補正方法】削除
【補正の内容】
【手続補正７４】
【補正対象書類名】明細書
【補正対象項目名】００８０
【補正方法】削除
【補正の内容】
【手続補正７５】
【補正対象書類名】明細書
【補正対象項目名】００８１
【補正方法】削除
【補正の内容】
【手続補正７６】
【補正対象書類名】明細書
【補正対象項目名】００８２
【補正方法】削除
【補正の内容】
【手続補正７７】
【補正対象書類名】明細書
【補正対象項目名】００８３
【補正方法】削除
【補正の内容】
【手続補正７８】
【補正対象書類名】明細書
【補正対象項目名】００８４
【補正方法】削除
【補正の内容】
【手続補正７９】
【補正対象書類名】明細書
【補正対象項目名】００８５
【補正方法】削除
【補正の内容】
【手続補正８０】
【補正対象書類名】明細書
【補正対象項目名】００８６
【補正方法】削除
【補正の内容】
【手続補正８１】
【補正対象書類名】明細書
【補正対象項目名】０１７７
【補正方法】変更
【補正の内容】
【０１７７】
【発明の効果】
以上説明したように、本発明によれば、外部のデータ処理装置から複数の種類のページ記述言語に基づくＰＤＬデータを受信し、該ＰＤＬデータ中の画像情報がカラー画像情報かそれもとも白黒画像情報かを識別して、カラー画像情報に最適な第１の展開処理と、白黒画像情報に最適な第２の展開処理とを並行させ、該展開されたカラー画像情報と白黒画像情報とをマージして画像出力装置に出力させるので、受信したＰＤＬデータ中の画像情報を個別の展開処理資源を同時に利用して展開処理することができ、一方の展開処理資源に依存する画像展開処理に較べて、格段に画像品位に優れた出力画像データを効率よく出力できるという効果を奏する。